(57)【要約】【課題】  乗員の前方視界を狭めたり運転等の妨げになることなく、簡易に乗員の顔や車内後方を視認することができる  【解決手段】  一側縁１１がフロントウインドウＷ上縁に沿った車室天井Ｒに回動可能に結合されて、使用時には他側縁１２を車室天井Ｒに沿った収納位置から下方の使用位置へ進出回動できるようにしたサンバイザー本体１を備える。収納位置にて鏡面２１ａが室内側を向いた状態で鏡体２１の一側縁２１１を回動可能に結合するヒンジ部材２３を設ける。上記サンバイザー本体１に着脱可能に差し込んで装着できる装着部材２２Ａ，２２Ｂを設けるとともに、当該装着部材２２Ａ，２２Ｂの脚部２２１をレール部材としてこれに沿って移動可能に摺動部材２４を装着し、摺動部材２４上に上記ヒンジ部材２３を設ける。【選択図】        図４
2007290464.tif 000002
【特許請求の範囲】
【請求項１】
一側縁がフロントウインドウ上縁に沿った車室天井に回動可能に結合されて、使用時には他側縁を車室天井に沿った収納位置から下方の使用位置へ進出回動できるようにしたサンバイザー本体を備える車両用サンバイザーにおいて、前記収納位置にて鏡面が室内側を向いた状態で鏡体の一側縁を前記サンバイザー本体に回動可能に結合する支持体を設けたことを特徴とする車両用サンバイザー。
【請求項２】
収納位置にある前記サンバイザー本体の少なくとも室内側面にレール部材を設けるとともに、前記支持体を、前記レール部材にこれに沿って移動可能に装着した移動体上に設けた請求項１に記載の車両用サンバイザー。
【請求項３】
前記サンバイザー本体に着脱可能に差し込んで装着できる装着部材を設けてこれに前記支持体を設けた請求項１に記載の車両用サンバイザーに使用するミラー装置。
【請求項４】
前記サンバイザー本体に着脱可能に差し込んで装着できる装着部材を設けるとともに、当該装着部材の一部で前記レール部材を構成した請求項２に記載の車両用サンバイザーに使用するミラー装置。
【発明の詳細な説明】
【技術分野】
【０００１】
本発明は車両用サンバイザーとこれに使用するミラー装置に関する。
【背景技術】
【０００２】
従来、車両用サンバイザーの本体裏面にミラー（バニティミラー）を装着したものが知られている。しかし、これでは、ミラーを使用する度にサンバイザー本体を反転回動させて下方へ引き出す必要があり、煩わしいという問題がある。そこで、例えば特許文献１においては、サンバイザーを回動支持するためフロントウインドウの上縁に沿う天井部に設けられた取付部材に、車内後方へ向けて角度変更自在なミラーを設けたものが示されている。  
【特許文献１】特開２００２−２１１２４０
【発明の開示】
【発明が解決しようとする課題】
【０００３】
しかし、上記公報に記載のサンバイザーでは、フロントウインドウ上縁から下方へ突出した取付部材にミラーが常時後方を向いて設けられているため、乗員の前方視界が狭められるという問題があるとともに、ミラーの反射によって運転が妨げられる等のおそれがあった。
【０００４】
そこで、本発明はこのような課題を解決するもので、乗員の前方視界を狭めたり運転等の妨げになることなく、簡易に乗員の顔や車内後方を視認することができる車両用サンバイザーおよびこれに使用するミラー装置を提供することを目的とする。
【課題を解決するための手段】
【０００５】
上記課題を解決するために、本第１発明の車両用サンバイザーでは、一側縁（１１）がフロントウインドウ（Ｗ）上縁に沿った車室天井（Ｒ）に回動可能に結合されて、使用時には他側縁（１２）を車室天井（Ｒ）に沿った収納位置から下方の使用位置へ進出回動できるようにしたサンバイザー本体（１）を備える車両用サンバイザーにおいて、収納位置にて鏡面（２１ａ）が室内側を向いた状態で鏡体（２１）の一側縁（２１１）をサンバイザー本体（１）に回動可能に結合する支持体（２３）を設ける。
【０００６】
本第１発明においては、鏡体がサンバイザー本体に設けてあるから乗員の前方視界を狭めることがなく、かつ、鏡体は一側縁が支持体によってサンバイザー本体に回動可能に結合されているから、適宜鏡体を回動させて後方の視認範囲を適正に調整することができる。加えて、不使用時には鏡体を反転させておけば鏡面の反射によって運転が妨げられる等のおそれもない。
【０００７】
本第２発明の車両用サンバイザーでは、収納位置にある上記サンバイザー本体（１）の少なくとも室内側面にレール部材（２２１）を設けるとともに、上記支持体（２３）を、レール部材（２２１）にこれに沿い移動可能に装着した移動体（２４）上に設ける。
【０００８】
本第２発明においては、鏡体をサンバイザー本体の室内側面上で移動させることによって後方の視認範囲をさらに適正に調整することができる。
【０００９】
本第３発明の車両用サンバイザーに使用するミラー装置では、上記サンバイザー本体（１）に着脱可能に差し込んで装着できる装着部材（２２Ａ，２２Ｂ）を設けてこれに上記支持体（２３）を設ける。本第３発明においては、装着部材によってミラー装置をサンバイザー本体に装着することによって容易に本第１発明の車両用サンバイザーを実現することができる。
【００１０】
本第４発明の車両用サンバイザーに使用するミラー装置では、上記サンバイザー本体（１）に着脱可能に差し込んで装着できる装着部材（２２Ａ，２２Ｂ）を設けるとともに、当該装着部材（２２Ａ，２２Ｂ）の一部でレール部材（２２１）を構成する。本第４発明においては、装着部材によってミラー装置をサンバイザー本体に装着することによって容易に本第２発明の車両用サンバイザーを実現することができる。
【００１１】
なお、上記カッコ内の符号は、後述する実施形態に記載の具体的手段との対応関係を示すものである。
【発明の効果】
【００１２】
以上のように本発明の車両用サンバイザーおよびこれに使用するミラー装置乗員の前方視界を狭めたり運転等の妨げになることなく、簡易に乗員の顔や車内後方を視認することができるを提供することを
【発明を実施するための最良の形態】
【００１３】
図１にはミラー装置を設けた車両用サンバイザーを車両内方から見た斜視図を示し、図２にはその断面図を示す。サンバイザー本体１は公知の構造の略長方形の板体で、その一側縁（図１の下側縁）１１の両端が、フロントウインドウＷ上縁の車室天井Ｒに設けた支持部Ｒ１に軸支されて、車室天井Ｒに沿った図に示す収納位置から下方の使用位置へ進出回動できるようになっている。
【００１４】
上記サンバイザー本体１にはミラー装置２が装着されており、ミラー装置２は図３に示すように鏡体２１と左右一対の装着部材２２Ａ，２２Ｂを備えている。鏡体２１としては略長方形の樹脂板の表面にアルミを蒸着して鏡面２１ａとした軽量なもの（例えば、三菱レーヨン（株）製  商品名「アクリミラー」）が使用できる。なお、鏡体２１の裏面２１ｂ（図５、図６参照）は絵柄等を付した反射しない材料で覆ってある。装着部材２２Ａ，２２Ｂはそれぞれ一定幅の樹脂製帯材を逆Ｕ字状に折り曲げて成形されており、装着部材２２Ａ，２２Ｂの両脚部２２１，２２２（図３）は先端が互いに接近して挟持部２２３となっている。なお、収納位置にある上記サンバイザー本体１の室内側面（表面）１ａからその他側縁１２へ延びる装着部材２２Ａ，２２Ｂの脚部２２１（図１）はレール部材を兼ねている。
【００１５】
鏡体２１の一側縁２１１には支持体としてのヒンジ部材２３が配設されており、ヒンジ部材２３は両端部２３１（図１）と中央部２３２が鏡体２１に固着されるとともに、これらの間に位置し同軸で適度な摺動抵抗を有して相対回動可能な中間部２３３は、移動体としての摺動部材２４（図２）に固定されている。摺動部材２４は樹脂材を略Ｃ字断面に成形したもので、一定幅の上記装着部材２２Ａ，２２Ｂを抱持するようにこれに装着されて、レール部材を兼ねた装着部材２２Ａ，２２Ｂの脚部２２１に沿って移動可能である。ミラー装置２は図３に示すように、サンバイザー本体１の他側縁（図１の上側縁）１２に装着部材２２Ａ，２２Ｂの開口側を向けて当該サンバイザー本体１に差し込むことによって装着され、装着部材２２Ａ，２２Ｂの挟持部２２３が弾性力でサンバイザー本体１を挟圧するようにしてこれに係止される。
【００１６】
ミラー装置２を使用する場合には、図４に示すように、サンバイザー本体１を収納状態のままにして、ヒンジ部材２３を中心に鏡体２１をサンバイザー本体１の表面１ａに対し適当角度へ引き起こし回動させる。この時、装着部材２２Ａ，２２Ｂの脚部２２１に沿って摺動部材２４を移動させることにより鏡体２１を適当位置へ上下動させて、乗員の顔や後席チャイルドシート等の、所望の後方領域を視認できるように調整する。
【００１７】
鏡体２１を使用しない場合には、図５に示すように鏡体２１をサンバイザー本体１の他側縁１２まで上昇させてヒンジ部材２３回りに反転させ、車室天井Ｒに沿った位置で鏡体２１の裏面２１ｂが室内側へ向くようにする。なお、鏡体２１を上昇させることなく、図４に示す位置でヒンジ部材２３を中心に反転させ、サンバイザー本体１の表面１ａに沿った位置で鏡体２１の裏面が室内側へ向くようにしても、もちろん良い。このようにすれば、鏡体２１の反射で運転が妨げられる等の問題が回避できる。
【００１８】
サンバイザー本体１を使用する場合にはこれを下方の使用位置へ進出回動させるのに先立って、上記図５に示すように鏡体２１をサンバイザー本体１の他側縁まで上昇させてヒンジ部材２３回りに反転させた後、図６に示すようにサンバイザー本体１を下方へ進出回動させつつ鏡体２１をさらに回動させて、サンバイザー本体１の裏面１ｂに沿った位置へ鏡体２１を反転させておく。
【００１９】
なお、本実施形態において、装着部材を左右一対設ける必要はなく、中央に一つ設けるだけでも良い。また、上記実施形態では装着部材をレール部材と兼用してサンバイザー本体とは別体のミラー装置としたが、サンバイザー本体にレール部材を設けて、これに摺動部材とヒンジ部材を介して鏡体を結合する構造としても良い。また、摺動部材を省略して鏡体をヒンジ部材で直接サンバイザー本体に結合する構造としても、従来構造に比して十分な効果が得られる。また、ヒンジ部材に代えて例えば球体と球体受部を備えた結合部材を使用すれば、鏡体の角度変更の自由度をさらに向上させることができる。  
【図面の簡単な説明】
【００２０】
【図１】本発明の一実施形態を示す、ミラー装置を設けた車両用サンバイザーの斜視図である。
【図２】ミラー装置を設けた車両用サンバイザーの断面図である。
【図３】車両用サンバイザーから分離したミラー装置の斜視図である。
【図４】ミラー装置を設けた車両用サンバイザーにおける、ミラー装置の使用状態を示す斜視図である。
【図５】ミラー装置を設けた車両用サンバイザーにおける、サンバイザー使用過程を示す斜視図である。
【図６】ミラー装置を設けた車両用サンバイザーにおける、サンバイザー使用状態を示す斜視図である。
【符号の説明】
【００２１】
１…サンバイザー本体、１１…一側縁、２１…鏡体、２１ａ…鏡面、２１１…一側縁、２２Ａ，２２Ｂ…装着部材、２２１…脚部（レール部材）、２３…ヒンジ部材（支持体）、２４…摺動部材（移動体）、Ｗ…フロントウインドウ、Ｒ…車室天井。
【図１】
2007290464.tif 000003
【図２】
2007290464.tif 000004
【図３】
2007290464.tif 000005
【図４】
2007290464.tif 000006
【図５】
2007290464.tif 000007
【図６】
2007290464.tif 000008
【手続補正書】
【提出日】平成18年9月26日(2006.9.26)
【手続補正１】
【補正対象書類名】特許請求の範囲
【補正対象項目名】全文
【補正方法】変更
【補正の内容】
【特許請求の範囲】
【請求項１】
一側縁がフロントウインドウ上縁に沿った車室天井に回動可能に結合されて、使用時には他側縁を車室天井に沿った収納位置から下方の使用位置へ進出回動できるようにしたサンバイザー本体を備える車両用サンバイザーに使用するミラー装置において、前記収納位置にて鏡面が室内側を向いた状態で鏡体の一側縁を前記サンバイザー本体側に回動可能に結合する支持体を設け、逆Ｕ字状に成形されて前記サンバイザー本体に着脱可能に差し込んで装着される装着部材を設けるとともに、当該装着部材の脚部でレール部材を構成し、略Ｃ字断面に成形されて一定幅の前記脚部を抱持するようにこれに装着されて当該脚部に沿って移動可能とした移動体を設けて、前記支持体を前記移動体上に設けたことを特徴とする車両用サンバイザーに使用するミラー装置。
【手続補正２】
【補正対象書類名】明細書
【補正対象項目名】０００５
【補正方法】変更
【補正の内容】
【０００５】
上記課題を解決するために、本発明の車両用サンバイザーに使用するミラー装置では、一側縁（１１）がフロントウインドウ（Ｗ）上縁に沿った車室天井（Ｒ）に回動可能に結合されて、使用時には他側縁（１２）を車室天井（Ｒ）に沿った収納位置から下方の使用位置へ進出回動できるようにしたサンバイザー本体（１）を備える車両用サンバイザーに使用するミラー装置において、上記収納位置にて鏡面（２１ａ）が室内側を向いた状態で鏡体（２１）の一側縁（２１１）をサンバイザー本体（１）側に回動可能に結合する支持体（２３）を設け、逆Ｕ字状に成形されてサンバイザー本体（１）に着脱可能に差し込んで装着される装着部材（２２Ａ，２２Ｂ）を設けるとともに、当該装着部材（２２Ａ，２２Ｂ）の脚部（２２１）でレール部材を構成し、略Ｃ字断面に成形されて一定幅の脚部（２２１）を抱持するようにこれに装着されて当該脚部（２２１）に沿って移動可能とした移動体（２４）を設けて、支持体（２３）を移動体（２４）上に設けたことを特徴とする車両用サンバイザーに使用するミラー装置。
【手続補正３】
【補正対象書類名】明細書
【補正対象項目名】０００６
【補正方法】変更
【補正の内容】
【０００６】
本発明においては、鏡体がサンバイザー本体に設けてあるから乗員の前方視界を狭めることがなく、かつ、鏡体は一側縁が支持体によってサンバイザー本体に回動可能に結合されているから、適宜鏡体を回動させて後方の視認範囲を適正に調整することができる。加えて、不使用時には鏡体を反転させておけば鏡面の反射によって運転が妨げられる等のおそれもない。また、鏡体をサンバイザー本体上で移動させることによって後方の視認範囲をさらに適正に調整することができる。さらに、装着部材によってミラー装置をサンバイザー本体に装着することによって容易に車両用サンバイザーを実現することができる。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】